(57)【要約】【課題】両面にディンプルを形成したキーを使用できて鍵違い数を増加した南京錠を提供する。【解決手段】南京錠１は、キー２の一方の面に設けられたディンプル２ａに係合する第１タンブラーピン２０と、他方の面に設けられたディンプル２ａに係合する第２タンブラーピン２１とを備えた。【選択図】　　　図１
2004068369.tif 000002
【特許請求の範囲】
【請求項１】
キーのディンプルに係合するタンブラーピンを備えた南京錠において、
キーの一方の面に設けられたディンプルに係合する第１タンブラーピンと、他方の面に設けられたディンプルに係合する第２タンブラーピンとを備えたことを特徴とする南京錠。
【発明の詳細な説明】
【０００１】
【発明の属する技術分野】
本発明は、いわゆるディンプルキー用の南京錠に関する。
【０００２】
【従来の技術】
図９に示すように、従来の南京錠４１については、シャックル４２の短脚部４３が収容される本体部４４の収容凹部４５の下方でキーのディンプルに係合するタンブラーピン４６が設けられたものがある。
【０００３】
【発明が解決しようとする課題】
しかし、従来の南京錠４１では、タンブラーピン４６はシャックル４２の短脚部４３の下方に設けられて、ディンプルキーの一方の面側のみのディンプルにしか係合せず、他方の面側にはタンブラーピンが設けられていなかったため、ディンプルは片方の面にしか形成できず、鍵違い数が制限されてしまっていた。
そこで、本発明は、両面にディンプルを形成したキーを使用できて鍵違い数を増加した南京錠を提供することを目的とする。
【０００４】
【課題を解決するための手段】
上記課題を解決するために本発明は以下の技術的手段を講じた。
すなわち、キーのディンプルに係合するタンブラーピンを備えた南京錠において、キーの一方の面に設けられたディンプルに係合する第１タンブラーピンと、他方の面に設けられたディンプルに係合する第２タンブラーピンとを備えたことである。
これによれば、第１タンブラーピンと第２タンブラーピンを設けたことによって、その両面にディンプルを形成したキーを使用できるようになり、鍵違い数を増加できる。
【０００５】
【発明の実施の形態】
以下、図面を参照して本発明の実施の形態を説明する。
本発明に係る南京錠１は、図１、図５に示すような、その両面にディンプル２ａが形成されたキー２によって施錠・解錠がなされるものである。
図１乃至図４の第１実施形態では、南京錠１は、平行な短脚部３と長脚部４とを有して略Ｕ字形状に形成されたシャックル５と、このシャックル５の短脚部３、長脚部４が挿通される一対の収容凹部７、８を備える本体部６とを有する。
【０００６】
シャックル５は、短脚部３の終端が本体部６内に没入する施錠状態と、短脚部３終端が本体部６から飛び出す解錠状態との間で移動可能とされている。
本体部６は所定の厚さｔ、上下長さ（高さ）ｈ、呼び幅ｗで形成されている。本体部６の上下方向の上方の端面（以下、上面６ａという）側には、シャックル５の短脚部３が収容される第１収容凹部７と、長脚部４が収容される第２収容凹部８とが幅方向に離間されて形成されている。各収容凹部７、８は、本体の幅方向各側面寄りに形成されている。
【０００７】
各収容凹部７、８は、上下方向に沿って形成されており、第２収容凹部８は、第１収容凹部７よりも深く形成されている。また、第２収容凹部８は、本体部６の上下方向略全幅にわたって形成されている。
第２収容凹部８の底には、南京錠１が解錠されるときに、シャックル５を上方に押し上げるためのバネ部材９が設けられている。このバネ部材９は、その上端部が長脚部４の終端に当接しており、施錠状態で、この長脚部４を上方に付勢するようになっている。
【０００８】
図１乃至図３に示すように、本体部６の上面寄りの内部位置には、シャックル５をロック・ロック解除するためのロック部材１０、１１を収容するロック部材収容孔１２が幅方向に沿って形成されている。このロック部材収容孔１２は、第１収容凹部７、第２収容凹部８と略直交するように連絡されている。
ロック部材収容孔１２に納められたロック部材は、短脚部３をロック・ロック解除するための第１ロック部材１０と、長脚部４をロック・ロック解除する第２ロック部材１１とからなる。
【０００９】
シャックル５の短脚部３の終端寄りには、第１ロック部材１０と係合する第１係合溝１３が設けられている。また、長脚部４には、第２ロック部材１１と係合する第２係合溝１４が、前記第１係合溝１３と上下方向の位置が略一致するように形成されている。
また、本体部６の幅方向略中央部の内部位置には、キー２の差込孔１５を有する円筒状の回動体１６が設けられている。回動体１６は、本体部６内の幅方向略中央部に形成された回動体収納孔１７に嵌入されている。キー２の差込孔１５は、回動体１６の長手方向の一端側に設けられており、他端側には、前記ロック部材と係合する係合突起１８が形成されている。前記各ロック部材１０、１１には、この係合突起１８に当接する当接部１９が形成されており、回動体１６が解錠するように回動した場合に各ロック部材１０、１１を本体部６幅方向中央側に退避させて、ロック解除されるようになっている。
【００１０】
本体部６内には回動体１６の回動を規制するためのタンブラーピン２０、２１が設けられている。各タンブラーピン２０、２１は、幅方向で短脚部３側に設けられた第１タンブラーピン２０と、長脚部４側に設けられた、第２タンブラーピン２１とから構成されている。第１タンブラーピン２０は、キー２の一方の面に形成されたディンプル２ａに係合する第１係合ピン２３と、施錠状態で回動体１６が回動しないようにロックする第１ロックピン２４とから構成される。第１係合ピン２３は、回動体１６の第１係合ピン収容孔２５に納められており、第１ロックピン２４は、本体部６において第１収容凹部７の下方で幅方向に沿って形成された第１ロックピン収容孔２６に納められている。なお、この第１ロックピン収容孔２６は、本体部６内で上下方向に間隔をおいて複数形成されている。
【００１１】
第１ロックピン２４は、第１ロックピン収容孔２６に納められたバネ部材２７によって、本体部６の幅方向中央側に付勢されている。この第１実施形態では、第１ロックピン収容孔２６およびこれに納められた第１ロックピン２４の数はともに５である。
第２タンブラーピン２１は、キー２の他方の面に形成されたディンプル２ａに係合する第２係合ピン２９と、この第２係合ピン２９と当接しつつ施錠状態で回動体１６が回動しないようにロックする第２ロックピン３０とから構成される。
【００１２】
第２係合ピン２９は、回動体１６において第１係合ピン収容孔２５と径方向で対向するように形成された第２係合ピン収容孔３１に納められており、第２ロックピン３０は、幅方向において回動体収納孔１７と第２収容凹部８とによって挟まれた位置、すなわち回動体収納孔１７と第２収容凹部８との間に形成された第２ロックピン収容孔３２に納められている。この第２ロックピン収容孔３２は、幅方向に沿って、すなわちロック部材収容孔１２と平行に形成されており、また、上下方向に間隔をおいて複数形成されている。また第２ロックピン収容孔３２には、第２ロックピン３０を本体部６幅方向中央側に付勢するバネ部材３３が設けられている。この実施の形態では、第２ロックピン収容孔３２およびこれに納められた第２ロックピン３０の数はともに４である。
【００１３】
第１ロックピン収容孔２６のうち、下から４番目までのものと、第２ロックピン収容孔３２とは上下方向の位置がそれぞれ一致するように形成されている。すなわち、各第２ロックピン収容孔３２と対応する第１ロックピン収容孔２６とは、その中心軸が一致するように形成されているのである。このようにすることによって、第１ロックピン収容孔２６と第２ロックピン収容孔３２とをドリル等の工作機械によって一度に穿設することができ、加工に手間がかからず、この点で有利である。
【００１４】
本体部６内の短脚部３側であって、最上の第１タンブラーピン２０の上方には、回動体１６の位置を規制する位置決めピン３４が設けられている。回動体１６にはこの位置決めピン３４と係合する凹条部３５が回動体１６の周方向に沿って形成されている。
上記の第１実施形態によれば、回動体収納孔１７と第２収容凹部８との間に第２ロックピン収容孔３２を形成したことで、この第２ロックピン収容孔３２に第２ロックピン３０とこれを付勢するバネ部材３３を設けることができる。さらに、第２ロックピン３０に係合する第２係合ピンとこれが納まる第２係合ピン収容孔３２を回動体１６に設けたことによって、差込孔１５から差し込まれたキー２において幅方向で長脚部４側に向く面に形成されたディンプル２ａには第２タンブラーピン２１を係合させることができる。
【００１５】
また、差込孔１５から差し込まれたキー２において幅方向で短脚部３側を向く面に形成されたディンプル２ａには第１タンブラーピン２０が係合することとなる。
以上により本発明に係る南京錠は、キー２の一方の面に設けられたディンプルに係合する第１タンブラーピン２０と、他方の面に設けられたディンプルに係合する第２タンブラーピン２１とを備えたことにより、両面に設けられたディンプルの組み合わせによる鍵違い数を増加できる。
【００１６】
さらに、キーのディンプルに係合するタンブラーピン２０、２１の数を多くすることができるので、南京錠１は、不正解除（ピッキング）を困難にすることができる。
図６、図７の第２実施形態では、各ロックピン収容孔２６、３２は、本体部６の幅方向略中央位置で、厚さ方向に沿って形成されている。すなわち、第１ロックピン収容孔２６は、本体部６の正面の幅方向略中央位置からドリル等の工作機械によって穿設され、第２ロックピン収容孔３２は、本体部６の背面の幅方向略中央位置から穿設されている。換言すれば、第２ロックピン収容孔３２は、本体部６の幅方向に対して略９０°の角度で交差するように形成されている。なお、第２ロックピン収容孔３２については、前記角度は９０°に限らず、３０°、４５°、６０°等の他の種々の角度で形成（穿設）することができる。
【００１７】
また、図７に示すように第１ロックピン収容孔２６と第２ロックピン収容孔３２とは互いに上下方向の位置がずれるように形成されている。したがって、各ロックピン収容孔２６、３２に収容される各ロックピン２４、３０も互いに上下方向の位置がずれることになる。同様に各ロックピン収容孔２６、３０に対応する各係合ピン収容孔２５、３０の互いの上下位置、および各係合ピン収容孔２５、３０に収容される各係合ピン２３、２９の互いの上下位置もずれることになる。
以上のことから、各ロックピン収容孔２６、３２を本体部６内に設け、これら各ロックピン収容孔２６、３２に対応する各係合ピン収容孔２５、３１を回動体１６に形成することによって、本体部６の正面側からキーの一方の面に形成されたディンプル２ａに係合する第１タンブラーピン２０と、背面側からキーの他方の面に形成されたディンプル２ａに係合する第２タンブラーピン２１が設けられることになる。その他の構成は第１実施形態と同様の構成であり、第１実施形態と同様の作用効果を生じる。
【００１８】
図８の第３実施形態では、本体部６の幅方向側面のうち、短脚部３側の側面から第１ロックピン収容孔２６を穿設し、長脚部４側の側面から第２ロックピン収容孔３２を穿設している。したがって、長脚部４を収容する第２収容凹部８と、第２ロックピン収容孔３２とが連絡されてしまって、第２収容凹部８の内壁に第２ロックピン収容孔３２の開口が形成されることになる。
第３実施形態では、第２収容凹部内に、この開口を閉塞する円筒状の菅体（スリーブ）３６が設けられている。したがって、第２ロックピン収容孔３２に第２ロックピン３０とこれを付勢するバネ部材３３を収容し、第２ロックピン収容孔３２を菅体３６で閉塞することで、第２ロックピン３０およびバネ部材３３が開口からはみ出すことがなくなり、長脚部４と第２ロックピン３０、バネ部材３３とが干渉しないようになっている。以下、前記菅体３６のように、第２ロックピン収容孔３２の第２収容凹部８側を閉塞する手段を閉塞手段３７という。その他の点は、第１実施形態と同様の構成であり、第１実施形態と同様の作用効果を生じる。
【００１９】
ここで、第１実施形態と第３実施形態とを比較すると、第３実施形態では、本体部６の幅方向側面のうち、短脚部３側の側面から第１ロックピン収容孔２６を穿設し、長脚部４側の側面から第２ロックピン収容孔３２を穿設しているので、各ロックピン収容孔２６、３２を形成するのに手間がかかり、さらに第２収容凹部の内面に形成された第２ロックピン収容孔３２の開口を閉塞するのに菅体３６が必要となり、部品数が増加する。
これに対し、第１実施形態では、本体部６の幅方向側面のうち、短脚部３側の側面から第１ロックピン収容孔２６と第２ロックピン収容孔３２とをドリル等の工作機械によって一度に穿設することができるので、第３実施形態よりも各ロックピン収容孔２６、３２の加工に手間が掛かることがなく、また、ドリル等による第２ロックピン収容孔３２の加工深さを調節することによって、第３実施形態のように第２収容凹部８の内面に第２ロックピン収容孔の開口を形成することもなくなり、前記菅体３６のような部品も不要となって部品数が増加することもなくなり、この点で有利である。つまり、第１実施形態では、図１、図３に示すように、ドリル等の工作機械によって、第２ロックピン収容孔３２の加工深さを調節することで、第２収容凹部８と第２ロックピン収容孔３２とが離間させて第２ロックピン収容孔３２の第２収容凹部８側を閉塞する閉塞部３８を設け、これを閉塞手段３７としているのである。
【００２０】
なお、本発明は上記の実施の形態に限らず、以下のように変形・変更が可能である。
第１ロックピン２４、第１ロックピン収容孔２６の数は５に限らず、１乃至４、または６以上としてもよく、また、第２ロックピン３０、第２ロックピン収容孔３２の数は４に限らず１乃至３または５以上としてもよい。
【００２１】
【発明の効果】
本発明の南京錠によれば、両面にディンプルを形成したキーを使用できて鍵違い数を増加できる。
また、キーのディンプルに係合するタンブラーピンの数を増加できるので、不正解除をより困難なものとすることができる。
【図面の簡単な説明】
【図１】南京錠の正面断面図である。
【図２】南京錠の側面図である。
【図３】本体部６の正面断面図である。
【図４】回動体を示す側面図である。
【図５】キーの正面図である。
【図６】本発明の第２実施形態を示す正面図である。
【図７】本発明の第２実施形態を示す側面図である。
【図８】本発明の第３実施形態を示す正面断面図である。
【図９】従来の南京錠を示す正面断面図である。
【符号の説明】
１　南京錠
２　キー
２ａ　ディンプル
２０　第１タンブラーピン
２１　第２タンブラーピン
【図１】
2004068369.tif 000003
【図２】
2004068369.tif 000004
【図３】
2004068369.tif 000005
【図４】
2004068369.tif 000006
【図５】
2004068369.tif 000007
【図６】
2004068369.tif 000008
【図７】
2004068369.tif 000009
【図８】
2004068369.tif 000010
【図９】
2004068369.tif 000011